(57)【要約】      （修正有）【課題】廊下との段差の有る所をスムーズに利用出来る機能を持つスリッパ台で、トイレの出入り口のドアの下方に設置され、其の上にスリッパを乗せて其のスリッパを廊下からトイレに出入りする時に履いたり脱いだりする時にいつも一定した所に出て来るスリッパ台を提供する。【解決手段】スリッパ台は本体と２本のシャフトとが一体と成っていて、そのシャフトを利用し、そのシャフトが上下する様にトイレのドアの下方内壁に設置する。またその台は常時バネによって上方に持ち上げられ床から浮いた状態の上で保持されている。それによりスリッパを載せたままスリッパ台はトイレのドアと一緒に回転できる。スリッパを使用する人はスリッパ台の上にて履き替え、また使用後もその台の上にて履き替える。【選択図】図１
0003148625.tif 000002
【実用新案登録請求の範囲】
【請求項１】
トイレ用ドアの内壁面下方部に設けられたトイレの履物台であって、該履物台はトイレ用履物を載置する載置台本体と、該載置台本体を床面に接地する位置と床面から離間した位置との間でトイレ用ドアの内壁面に沿って鉛直方向に移動可能にする載置台案内機構と、該載置台を常時鉛直上方の床面から離間した位置に付勢する弾性体とからなることを特徴とするトイレの履物台。
【考案の詳細な説明】
【技術分野】
【０００１】  本考案は不潔と思われるトイレ用スリッパを履く時や脱ぐ時に容易に利用でき、廊下との段差の有る所をスムーズに利用出来る機能を持つスリッパ台である。本考案はトイレの出入り口のドアの下の方に設置される台で、其の上にスリッパを乗せて其のスリッパを廊下からトイレに出入りする時に履いたり脱いだりする時にいつも一定した所に出て来る物です。
また本考案はトイレ内に入退室時にトイレ内で使用するスリッパを履いたり脱いだりするに際し、その出入りする方向に沿ってスリッパを脱ぎ捨てても、次に逆の出入りする方向からそのスリッパを履くときには、その履物を履きやすい逆方向に転換させるスリッパの方向転換装置に関するものでもある。
【背景技術】
【０００２】  一般家庭においてトイレから出るときにトイレ用スリッパをそのまま進行方向バラバラに脱ぎ置かれることが多い。そのため次にトイレに入る人は逆向きに脱ぎ置かれているスリッパを履きやすい方向に手でもって揃えてから使用するか、あるいは履物の向きに合わせるように身体を捻って使用する必要があった。
また次に使用する人のためにトイレから出る時にスリッパの向きを揃えるためには、狭いトイレの内で体を回転させてトイレ内のスリッパを脱いだりしなければならない。狭いトイレ内で体を回転させる動作が極めて面倒で煩わしい問題があった。そこで狭いトイレ内でも体を回転させずに要易にスリッパの方向が揃えられる、或いは掃除の時もそのスリッパをスムーズに移動できるような便利で清潔と思われるスリッパ台の開発が望まれている。
従来にもスリッパの方向変換装置の提案は種々あった（特許文献１及び２参照）。
【特許文献１】特開２００６−２９６９０２号
【特許文献２】特開２００２−１０８９９号
【考案の開示】
【考案が解決しようとする課題】
【０００３】  しかしながら従来のスリッパ方向変換装置は、特別な動力や複雑な駆動機搆を必要としていた。更にはトイレ内の床上に設置される為、掃除等の際には邪魔となっていた。
本考案は、トイレに入ったり出たりするときにスリッパの向きを気にして身体を回転したりすることなく要易にスリッパに履き替えることができ、特別な動力や機構を使うことなく低コストで実現でき、掃除の時も邪魔になることなく、更には手でスリッパに触れずに済むような便利で清潔と思われるスリッパ台（スリッパ方向変換装置）の開発を目的とするものである。
【課題を解決するための手段】
【０００４】  本考案は、トイレ用ドアの内壁面下方部に設けられたトイレの履物台であって、該履物台はトイレ用履物を載置する載置台本体と、該載置台本体を床面に接地する位置と床面から離間した位置との間でトイレ用ドアの内壁面に沿って鉛直方向に移動可能にする載置台案内機構と、該載置台を常時鉛直上方の床面から離間した位置に付勢する弾性体とからなることを特徴とするトイレの履物台により、上述した問題点を解決している。
【考案の効果】
【０００５】  本考案により履物を履く時、脱ぐ時に足元で揃えるといった動作的負担は軽減される。このスリッパ台は体の不自由な人達でも楽に履物を履いたり脱いだり出来る特徴が有る。本考案のスリッパ台は開け閉めするドアの下に設置されている為にトイレを使用する時に体の向きを変える事なく、又廊下との段差の有る場所でも上下する為に楽に使用出来る特長がある。さらに本考案のスリッパ台は従来のものより複雑でなく低コストで実現できる。何時もドアを開けると一定の箇所に一定の方向を向いたスリッパ（履物）が出て来る。また、本考案のスリッパ台はドアと一緒に移動する為トイレ内はいつも整頓されていて、其の為に掃除も安易に出来る。また、本考案のスリッパ台はいつもドアに着いている（一体となっている）為、使用後ドアを閉めた時にもトイレの中に納まる為、見栄えが良く邪魔にならない特徴を持っている
【考案を実施する為の最良の形態】
【０００６】  以下、添付図面に従って本考案の最良の実施形態を説明する。図１は本考案になるスリッパ台を設けたトイレドアの概観図である。１はトイレのドア、２はトイレドア内壁の下方部に設けたスリッパ台、３はトイレ外の廊下・床面、４はトイレ内部である。図２は前記スリッパ台２の構造を説明している。５はスリッパ台の本体であり、スリッパが載置されるところの長方形の板状部材である。その板状部材（スリッパ台本体５）の一側端部から２本のスリッパ台シャフト６が板状部材から垂直に立ち上がっている。またトイレドア内壁部下方には、スリッパ台シャフト６を案内するシャフトガイド７がネジ８により取り付けられている。尚、ネジを使わなくとも両面テープ等を使って固定してもよい。添付図面事例では１本のスリッパ台シャフト６に対し上下２個、２本のスリッパ台シャフトに対しては計４個のシャフトガイドが使われている。
上下のシャフトガイド７によりスリッパ台シャフト６は上下方向に移動可能に案内される。上下のシャフトガイド７の間にはスプリング９が設けられている。更にスプリング９は下のシャフトガイド上端とスリッパ台シャフト６に設けられたピン１０の間で圧縮状態で規制されている。そのためスプリング９はスリッパ台シャフト６に設けられたピン１０を介してスリッパ台シャフト６を、常時上方に持ち上げている。つまりはスリッパ台シャフト６と一体構成されているスリッパ台本体５を常時上方に持ち上げることになる。当然ながら、上記スプリング９はスリッパ台本体５上に載置されるスリッパ等の履物を含めて持ち上げられる程度の強さを必要とする。また上記ガイド機構により上下方向に可動するスリッパ台本体５の可動位置は、下方向では少なくともスリッパ台本体５の下面部がトイレ内の床面及びトイレ外床面の低い方と接する位置まで可動しなければならない。また上方向ではスリッパ台本体５の下面部がトイレドアの下端部より上方に位置するまで可動できることが望ましい。これにより、スリッパ１１が載置されたスリッパ台本体５は床面より浮いた状態でトイレドア１と一体で開閉可能となる。またスリッパ台本体５の上に人間が乗ってスリッパを脱いだり履いたりする際、スリッパ台本体５は床面に接地することとなる。
次に、上記構成になる本考案スリッパ台の使用態様を説明する。トイレから出る際、ドアに向かってスリッパ台本体５の上に立つと、スリッパ台本体５はスプリング９に抗して床面上に接地し、ドア１及びスリッパ台本体５は動くことなく安全にスリッパ１１を脱ぎ置くことができる。スリッパ台本体５から降りると、スリッパ１１はトイレドア１の内壁方向につま先を向けてスリッパ台本体５上に載置された状態のまま、スプリング９によりスリッパ台本体５はわずかに上方に持ち上げられ、床上の段差に関係なくドア１と一体に開閉可能となる。次にトイレを使用する際、トイレのドア１を引いて開けると、トイレドア１の内壁に設けられたスリッパ台本体５が現れる。スリッパ台本体５の上のスリッパ１１は脱ぎ置いたままのトイレドア１の内壁方向につま先を向けた状態で載置されている。トイレドア１を開けた使用者は、トイレドア１の内壁方向に向かって進み、スリッパ台本体５上のスリッパ１１に足を乗せる。するとスリッパ台本体５はスプリング９に抗して床面上に接地し、ドア１及びスリッパ台本体５は動くことなく安全にスリッパ１１を履くことができる。以上説明したように、トイレ使用者はトイレ使用後スリッパを脱ぐ際に、トイレから出る方向であるトイレドアの内壁方向に向かってスリッパを脱ぐだけで、次の使用者が履きやすい方向にスリッパの向きを位置することができる。スリッパ台はドアを開けるとドアの下方に着いている為にドアを開けるとの台の上に履き替え用のスリッパが載っていて足元に出て来る為に、そのスリッパの上に載るとスリッパと一緒にその台が段差の有るような廊下の所まで下がりスムーズに履き替えが出来る物である
尚、本考案はトイレ以外であってもその部屋専用の履物を使用する部屋のドアに利用できることは勿論である。また、スリッパ台本体の上下案内機構は、上記に限らず種々の且つ周知のガイド機構が利用できることは言うまでもない。
【図面の簡単な説明】
【０００７】
【図１】  本発明の概要図
【図２】  本発明の１実施例の構成を説明する図
【符号の説明】
【０００８】    １  トイレのドア
２  ドアの下部に設けられるスリッパ台
３  トイレに入る時の手前の廊下
４  トイレの中側
５  スリッパ台本体
６  スリッパ台シャフト
７  シャフトガイド
８  シャフトガイドをドアに固定するネジ
９  本体を上下させるスプリング
１０  スプリングを固定させるピン
１１  スリッパ
【図１】
0003148625.tif 000003
【図２】
0003148625.tif 000004